(57)【特許請求の範囲】
【請求項１】
ゴキブリが侵入可能な開口部（１）を有するベイトケース体（２）を備え、該ベイトケース体（２）の少なくとも底壁面（３）に、複数種類から成るベイト剤（４）を散点状に固設するとともに、上記ベイトケース体（２）の上記底壁面（３）に、誘引剤（５）を上記ベイト剤（４）とは別体として着脱可能に固着して、該誘引剤（５）の効果が無くなったゴキブリの個体群に対しては、該誘引剤（５）を成分の異なる別の誘引剤（５）に交換可能としたことを特徴とするゴキブリ駆除ケース。
【請求項２】
ゴキブリが侵入可能な開口部（１）を有するベイトケース体（２）の少なくとも底壁面（３）に、複数種類のベイト剤（４）を散点状に固着するとともに、上記ベイトケース体（２）の底壁面（３）に、誘引剤（５）を上記ベイト剤（４）とは別体として着脱可能に固着し、ゴキブリの生息予想場所に設置し、
所定使用期間の後に、ゴキブリが最も好んで食べたベイト剤（４）の種類を特定し、
上記生息予想場所への次回設置時に、特定した上記ベイト剤（４）の種類を主として、又は、特定した上記ベイト剤（４）の種類のみを、次回のベイトケース体（２）の底壁面（３）に散点状に固着させ、上記生息予想場所に設置し、
さらに、別体として上記底壁面（３）に着脱自在として固着した上記誘引剤（５）の効果が無くなったゴキブリの個体群に対しては、該誘引剤（５）を成分の異なる別の誘引剤（５）に交換して上記底壁面（３）に着脱自在に固着し、
上記ベイト剤（４）と誘引剤（５）を別々に交換することを特徴とするゴキブリ駆除方法。
【発明の詳細な説明】
【技術分野】
【０００１】
本発明は、ゴキブリ駆除ケース及びゴキブリ駆除方法に関する。
【背景技術】
【０００２】
従来のゴキブリ駆除方法は、有機リン剤やピレスロイド剤などの神経毒性の殺虫剤の液剤を用いて、虫が徘徊する広い面積に50ml／ｍ2 相当を散布するのが一般的であった。その後、ヒドラメチルノンなどの神経毒以外の作用機作を持つ有効成分を含む各種類のベイト剤（特許文献１参照）が市販され、それを１〜２ｇ／ｍ2 塗布処理するゴキブリ駆除方法が、安全性および薬剤による汚染リスクなどの面から社会的ニーズが高まっている。またジェルタイプのベイト剤を生息場所に直接塗布する方法（被塗布部が汚染される）に代わって、ベイト剤をベイトケース体内に塗布して、それを必要に応じて生息地に配置または回収する方法が社会的に求められ、普及しつつある。
【０００３】
しかし、近年は特にゴキブリにおいて、各種のベイト剤に対する抵抗性の発達によって防除効果が低下し、ベイト剤によるゴキブリ駆除方法を諦めて従来の神経毒性の殺虫剤を散布する方法に頼らざるをえない場所が増えつつある。
【０００４】
ベイト剤に対する抵抗性の発達の原因は、長期間同じ種類のベイト剤を使用し続けることによって、ベイト剤の主に餌成分に対して誘引性や喫食性が低下し、ベイト剤を食べなくなる個体群が選抜されることによるもの（行動的抵抗性）、あるいはベイト剤の有効成分に対して感受性が低下し、食べても死亡しない個体群が選抜されることによるもの（生理的抵抗性）、の２種類が知られている。特に、行動的抵抗性の場合の方が多い。
【０００５】
ゴキブリのベイト剤は誘引性や喫食性を高める餌成分と殺虫有効成分の混合物であり、その製造販売には医薬医療機器等法に基づく許認可承認が必要であり、そのためには高額な費用と長い年月を要する。さらに殺虫有効成分の種類や含有量が同じであっても、誘引性や喫食性を高める餌成分を変更する場合には、新たな別薬剤として認められ、その製造販売には、新たに高額で長期間を要する医薬医療機器等法に基づく許認可の承認申請が必要となる。そのためゴキブリのベイト剤の種類は少なく、ゴキブリの抵抗性を発達させる原因の一つにもなっている。
【先行技術文献】
【特許文献】
【０００６】
【特許文献１】特開平９−８７１１８号公報
【発明の概要】
【発明が解決しようとする課題】
【０００７】
ゴキブリの抵抗性の発達の程度や原因、および効果の高いベイト剤の種類は、個々の発生現場によって異なるため、従来、個々の発生現場の個体群の特徴に応じて的確かつ早期に対処することが難しかった。
さらに、市販のベイト剤の処理方法を工夫しても、喫食量を増加（喫食性を向上）させること、誘引性を向上させることは、至難であった。また、抵抗性が発達しているベイト剤の種類を効果が高いベイト剤の種類に、如何に切り替えるかの判断が、従来から難しいという問題があった。
【課題を解決するための手段】
【０００８】
そこで、本発明に係るゴキブリ駆除ケースは、ゴキブリが侵入可能な開口部を有するベイトケース体を備え、該ベイトケース体の少なくとも底壁面に、複数種類から成るベイト剤を散点状に固設するとともに、上記ベイトケース体の上記底壁面に、誘引剤を上記ベイト剤とは別体として着脱可能に固着して、該誘引剤の効果が無くなったゴキブリの個体群に対しては、該誘引剤を成分の異なる別の誘引剤に交換可能としたものである。
【０００９】
また、本発明に係るゴキブリ駆除方法は、ゴキブリが侵入可能な開口部を有するベイトケース体の少なくとも底壁面に、複数種類のベイト剤を散点状に固着するとともに、上記ベイトケース体の底壁面に、誘引剤を上記ベイト剤とは別体として着脱可能に固着し、ゴキブリの生息予想場所に設置し、所定使用期間の後に、ゴキブリが最も好んで食べたベイト剤の種類を特定し、上記生息予想場所への次回設置時に、特定した上記ベイト剤の種類を主として、又は、特定した上記ベイト剤の種類のみを、次回のベイトケース体の底壁面に散点状に固着させ、上記生息予想場所に設置し、さらに、別体として上記底壁面に着脱自在として固着した上記誘引剤の効果が無くなったゴキブリの個体群に対しては、該誘引剤を成分の異なる別の誘引剤に交換して上記底壁面に着脱自在に固着し、上記ベイト剤と誘引剤を別々に交換する方法である。
【発明の効果】
【００１０】
本発明のゴキブリ駆除ケースによれば、喫食性を向上させることができる。また、ベイトケースを設置・撤去するのみなので、薬剤汚染リスクを低減させることができる。また、長期にわたって喫食性を確保できる。また、ジェルベイト剤の有効成分への抵抗性が増強するのを抑制することができる。
【００１１】
また、本発明のゴキブリ駆除方法によれば、特定のゴキブリの個体群に、その個体群の駆除に適した（行動的抵抗性が発達していない）ベイト剤をたくさん喫食させることができ、ゴキブリを短期間で有効に駆除することができる。すなわち、高い防除効果（ゴキブリ駆除効果）が得られる。
【図面の簡単な説明】
【００１２】
【図１】本発明の実施の一形態を示す斜視図である。
【図２】ベイト剤の配置例を示す説明図である。
【図３】ゴキブリ駆除ケースの断面図である。
【図４】複数のベイト剤を示す図である。
【図５】ベイト剤の配置例を示す説明図である。
【図６】ゴキブリによる喫食後の状態を示す説明図である。
【発明を実施するための形態】
【００１３】
以下、図示の実施の形態に基づいて本発明を詳説する。
図１〜図３は、本発明の実施の一形態を示す。このゴキブリ駆除ケース（ベイトケース）は、歩行性害虫としてのゴキブリＸが侵入可能な開口部１を有するベイトケース体２を備え、ベイトケース体２の少なくとも底壁面３に、ベイト剤（毒餌）４を散点状に固設したものである。
【００１４】
ベイト剤４としては、例えば、バイエルクロップサイエンス株式会社のマックスフォースジェルＫ（有効成分はヒドラメチルノン）、住化エンバイロメンタルサイエンス株式会社のミサイルジェルＤ（有効成分はジノテフラン）、ＢＡＳＦ株式会社のサブターフュージ（有効成分はヒドラメチルノン）、シンジェンタジジャパン株式会社のアドビオンＬＳジェル（有効成分はインドキサカルブ）、バイエルクロップサイエンス株式会社のグリアートフォルテ（有効成分はフィプロニル）等を用いることができる。
【００１５】
ゴキブリ駆除ケースを、ゴキブリＸの生息地に配置し、防除完了後は回収するという、薬剤による汚染リスクを低減できる防除方法（ゴキブリ駆除方法）に使用できる。従来、この方法を実施する場合には、既にベイトケース体２内に一塊のベイト剤４が入っている市販品を用いるか、ベイトケース体２内に一塊のベイト剤４を注入して用いていた。しかし同じ薬剤量であっても、一塊で処理するよりも複数箇所に点処理する方がゴキブリの喫食量が増加することを見出した。
【００１６】
既にベイトケース体２内にベイト剤４が処理されている市販品では、ベイトケース体２内に約１〜２ｇの一塊のベイト剤４が入っているものが多い。ジェルタイプのベイト剤４の場合の一塊とは、例えばベイト剤４のメーカーであるバイエルクロップサイエンス株式会社の資料によると0.25〜 0.5ｇ／スポットであり、直径約５〜８mmの大きさで塗布処理することが推奨されている。本発明における点処理（散点状）とは１mg／スポット以上 100mg／スポット以下の量である。すなわち、ベイト剤４はジェル状であって、上記散点状とされた各スポットの重さを１mg以上 100mg以下に設定したものである。特に約５mg／スポット以上50mg／スポット以下の量が好ましい。
【００１７】
１スポットの重さが 0.5mg未満の場合、チューブ等からの押出量を調節するのが困難である。１スポットの重さが 100mgを超える場合、ゴキブリＸによるベイト剤４の喫食量が低い。ベイトケース体２内における点処理は、底壁面３にまんべんなく多数処理するのが良いが、一塊処理より大きな円周上に並べて処理しても良いし、直線上に長く処理してもよく、点処理されたベイト剤４の分布については限定されない。
【００１８】
またベイト剤４の種類の中には、経口以外に経皮によって虫体内の作用点に到達する有効成分が使用されているものもある。このような種類のベイト剤４に対して喫食性が低下した個体群の場合には、ベイトケースに入ってもベイト剤４を喫食せずに出てきてしまうが、ベイトケース内の底壁面３の多数箇所にベイト剤４が点処理されていれば、自発的に食べなくても半強制的に接触させることができ、それにより死亡させることが可能となる。
【００１９】
散点状に固設された複数のベイト剤４が、複数種類から成る。殺虫有効成分のゴキブリＸの体内への作用点及び殺虫機作が異なるものや、誘引成分や餌成分が異なるものなどの種々のベイト剤４とするのが好ましい。
【００２０】
ベイトケース体２の内部に誘引剤５がベイト剤４とは別体として着脱可能に固着されている。誘引剤５は、例えば、３−ヒドロキシ−２−メチル−４−ピロンの粉末を不織布の小袋９に封入したものから成る。ベイトケース体２内に誘引剤５を装着することにより、生息場所で活動しているゴキブリＸがベイトケース内に侵入する機会およびベイト剤４に接触する確率を高め、防除対象とする個体群のベイト剤４の摂食量を増大させることができる。
【００２１】
市販のベイト剤４に含有されている誘引物質や喫食促進物質に対して、同一種類のベイト剤４の長期継続使用により、それらの物質に対して逆に忌避行動を示すゴキブリの個体群が選抜されて、ベイト剤４が効かなくなるという現象が知られている。しかし承認されたベイト剤４の誘引物質の変更は、承認薬剤として無効となるため、改めて再び高額な費用と長い年月をかけて許認可の承認申請が必要となるほか、その新たに変更した誘引物質についても有効性の持続は保障できないことから、誘引物質のみを変更したベイト剤４を容易に入手・使用できない。
ベイトケース体２内に脱着可能な誘引剤５を装着する方法は、ある誘引物質に対して効果が無くなった個体群に対しては、成分の異なる別の誘引剤５に交換することが可能であり、ベイト剤４を単独使用する場合よりも長期間に渡って防除に使用することが可能となる。
【００２２】
スポット間の最小距離寸法ｓを、２mm以上50mm以下に設定するのが好ましい。最小距離寸法ｓが、２mm未満の場合、複数のゴキブリＸが喫食中に接触などの個体干渉をしたり、時には排他的な行動に出ることとなり、喫食性が低下する。スポット間の最小距離寸法ｓが50mmを超える場合、底壁面３の一定面積に対して配設できるベイト剤４の量が少なくなり、底壁面３の広さを有効に活用することができない。
【００２３】
ベイトケース体２は、底壁６と天井壁７および支柱または側壁８で囲まれた歩行性害虫としてのゴキブリＸが侵入する開口部１を有する。開口部１の縦幅ｈを、ゴキブリＸが侵入できる１mm以上30mm以下に設定する。好ましくは、５mm以上20mm以下に設定するのが好ましい。開口部１の縦幅ｈが、この範囲内にある場合、ゴキブリＸの狭い隙間を好む性質を利用してベイトケース内に侵入させることができる。縦幅ｈが、１mm未満の場合、ゴキブリＸが侵入することができない虞れがある。縦幅ｈが、30mmを超える場合、狭い隙間を好んで侵入するゴキブリＸの嗜好性を利用することができない。ベイトケース体２の底面のサイズを、一辺または長径が２cm以上20cm以下に設定するのが好ましい。底面のサイズがこの範囲にある場合、所望の位置に容易に設置することができる。
【００２４】
次に、本発明のゴキブリ駆除方法について説明する。同一種類のベイト剤４を長期間使用し続けると、ベイト剤４の餌成分に対する誘引性や喫食性が低下して、殺虫有効成分に対する感受性が低下する前に、食べなくなることによってベイト剤が効かない個体群となることが多い。そのためゴキブリの各発生現場において、複数種類のベイト剤４を１つずつ試して、各種のベイト剤４の喫食性の低下状況を調査し、良く喫食する薬剤を選定することが、抵抗性の発達を阻止し、ベイト剤４による高い防除効果を持続させるために必要である。しかしベイト剤４の種類を試行錯誤で変えていたのでは、ゴキブリ等の発生を長期化させ、発生量を増加させ危害を増幅させることとなる。したがって早急に効果的なベイト剤４の種類を選定し、その薬剤を使用して早急に防除を実施することが、実際面において要求される。
【００２５】
本発明のゴキブリ駆除方法は、ゴキブリＸが侵入可能な開口部１を有するベイトケース体２の少なくとも底壁面３の複数箇所に、複数種類のベイト剤４を散点状に固着させ、ゴキブリＸの生息予想場所に設置する。所定使用期間の後に、ゴキブリＸが最も好んで食べたベイト剤４の種類を特定し、生息予想場所への次回設置時に、特定したベイト剤４の種類を主として、又は、特定したベイト剤４の種類のみを、次回のベイトケース体２の底壁面３に散点状に固着させ、生息予想場所に設置する。
【００２６】
具体的には、例えば、図４に示すように、７種類のゴキブリ用ジェル状ベイト剤（Ａ，Ｂ，Ｃ，Ｄ，Ｅ，Ｆ，Ｇ）を用いて、図５に示すように、同一種類を横一列に５点（５スポット）ずつとなるように、ベイトケース体２の底壁面３に固着させ、キッチンの片隅に設置する。１日後に、図６に示すように、Ｆの種類の喫食性が最も多い場合、ゴキブリが最も好んで食べたベイト剤４はＦの種類のベイト剤４であると特定できる。次回設置時には、Ｆの種類のベイト剤４のみをベイトケース体２の底壁面３に散点状に固着させ、設置する。
【実施例】
【００２７】
複数のゴキブリを放った容器内に、一塊（１mass）のベイト剤４が処理されたベイトケースと、複数箇所（32points）に点処理したベイトケースを、それぞれ１個設置して、喫食量を比較した。その結果を表１に示す。
【表１】
0006290815.tif 000002
【００２８】
表１に示したように、容器内に複数箇所に点処理したものの方が、一塊で処理したものより、喫食量が 1.3倍多かった。一塊のベイト剤４に到達した個体は、喫食中に訪れた他個体との接触などの個体干渉や時には排他的な行動によって喫食行動の継続を妨げられることがある。複数箇所にベイト剤４が点処理された場合には、複数個体がそれぞれの箇所に並んで接触を継続する様子が観察されることから、個体干渉の低減、およびベイトケース内でのベイト剤４への接触機会の増加などが原因として考えられる。
喫食量の低下によって死亡率が低下しつつある現場の個体群に対しては、喫食量を増加させることによって殺虫効果を向上させることが可能であるため、この処理方法はそのような個体群に対して有効である。
【００２９】
次に、複数のゴキブリを放った容器内に、ベイトケース体２内に誘引剤５を装着したものと、ベイトケース体２内に誘引剤５を装着しないものを、それぞれ１個設置して、喫食量を比較した。その結果を表２に示す。
【表２】
0006290815.tif 000003
【００３０】
表２に示すように、誘引剤５を装着したものの方が、誘引剤５を装着しなかったものに比べて喫食量が３倍多くなり、殺虫効果も高まった。
【００３１】
次に、ベイト剤４の喫食性が低下して防除効果が低くなった千葉市の現場の個体群（後述の表４では千葉系ゴキブリと呼ぶ）に対して、ベイトケース体２内に誘引剤５を装着したものと、ベイトケース体２内に誘引剤５を装着しないものの各々に、ベイト剤４を16箇所（16points）に点処理（総量約 150mg）し、10匹のゴキブリを放って、喫食量を比較した。その結果を表３に示す。
【表３】
0006290815.tif 000004
【００３２】
表３に示すように、ベイト剤４の喫食性が低下して防除効果が低くなった系統に対しても、誘引剤５を装着することによって、約８倍の喫食量の増加（喫食性の促進効果）が認められた。
【００３３】
市販のベイト剤４にも誘引成分や喫食促進物質が既に含有されているが、誘引する物質と喫食を増加させる物質は必ずしも同一物質ではなく、単純にベイト剤４に誘引物質を添加しても喫食性が低下する場合がある。例えば、誘引成分の３−ヒドロキシ−２−メチル−４−ピロンについて、マックスフォースジェルＫに誘引剤５を10％添加したものと無添加のものを用い、ゴキブリ10匹にベイト剤４を約 250mg（１mass）与え、室温25℃、16時間後の喫食量を調べた。その結果を表４に示す。なお、感受性ゴキブリとは、ベイト剤に対して抵抗性がないゴキブリをいう。
【表４】
0006290815.tif 000005
【００３４】
表４に示すように、ベイト剤４に添加した場合には喫食量が低下した。本発明では、誘引剤５をベイト剤４と別に装着することによって、ベイトケース内への誘引効果を高めることが可能となる。
【００３５】
なお、本発明は、設計変更可能であって、例えば、ベイト剤４を錠剤や顆粒状として、ベイトケース体２の底壁面３に散点状に配設した粘着剤の上に上記ベイト剤を固定しても良い。また、ベイト剤４を整列させずにランダムに配設するも良い。
【００３６】
以上のように、本発明は、ゴキブリＸが侵入可能な開口部１を有するベイトケース体２を備え、該ベイトケース体２の少なくとも底壁面３に、ベイト剤４を散点状に固設したので、喫食性を向上させることができる。また、ベイトケースを設置・撤去するのみなので、薬剤汚染リスクを低減させることができる。そして、開口部１からゴキブリＸが好んで侵入してくるので、喫食性もさらに向上する。
【００３７】
また、散点状に固設された複数の上記ベイト剤４が、複数種類から成るので、長期にわたって喫食性を確保できる。すなわち、ある特定の種類のベイト剤４に対する喫食性が低下してきても、他の種類のベイト剤４に対する喫食性が向上することにより、全体として長期にわたって喫食性を維持することができる。また、ベイト剤４の有効成分への抵抗性が増強するのを抑制することができる。さらに、例えば業者が、喫食性が良かった上位数種類のベイト剤４のうち生理的抵抗性が低いベイト剤４をラボ試験にて選定して、次回のベイトケース体２の底壁面３に散点状に固着させ、ゴキブリＸの生息予想場所に設置することもできる。
【００３８】
また、上記ベイトケース体２の内部に誘引剤５を上記ベイト剤４とは別体として着脱可能に固着したので、喫食性を向上させることができる。また、ベイト剤４と誘引剤５とは、別々に有効期限を迎えるので、各々を別々に交換することができる。そして、ある誘引物質に対して効果がなくなったゴキブリの個体群に対しては、成分の異なる別の誘引剤５に交換することが可能であり、ベイト剤４を単独使用する場合よりも長期間に渡って防除に使用することが可能となる。
また、上記ベイト剤４はジェル状であって、上記散点状とされた各スポットの重さを 0.5mg以上 100mg以下に設定したので、喫食性を向上させることができる。また、容易にベイト剤４を設置することができる。
【００３９】
また、ゴキブリＸが侵入可能な開口部１を有するベイトケース体２の少なくとも底壁面３の複数箇所に、複数種類のベイト剤４を散点状に固着させ、ゴキブリＸの生息予想場所に設置し、所定使用期間の後に、ゴキブリＸが最も好んで食べたベイト剤４の種類を特定し、上記生息予想場所への次回設置時に、特定した上記ベイト剤４の種類を主として、又は、特定した上記ベイト剤４の種類のみを、次回のベイトケース体２の底壁面３に散点状に固着させ、上記生息予想場所に設置するので、特定のゴキブリの個体群に、その個体群の駆除に適した（行動的抵抗性が発達していない）ベイト剤４をたくさん喫食させることができ、ゴキブリＸを短期間で有効に駆除することができる。すなわち、高い防除効果（ゴキブリ駆除効果）が得られる。また、市販のベイト剤４を用いて、高い防除効果を得ることができる。
【符号の説明】
【００４０】
１  開口部
２  ベイトケース体
３  底壁面
４  ベイト剤（毒餌）
５  誘引剤
Ｘ  ゴキブリ（歩行性害虫）
【図１】
0006290815.tif 000006
【図２】
0006290815.tif 000007
【図３】
0006290815.tif 000008
【図４】
0006290815.tif 000009
【図５】
0006290815.tif 000010
【図６】
0006290815.tif 000011